(57)【要約】【課題】画像の更新において、消費電力を効率的に抑制する。【解決手段】取得した位置情報に基づいて、表示更新領域が特定され（Ｓ１１３）、特定された表示更新領域に対応する画素に電圧を印加する処理を表示デバイスに実行させる表示制御であって、表示される画像の一部の表示更新を行う処理を表示デバイスに実行させる表示制御が表示デバイスに対し行われる（Ｓ１１６）。【選択図】図６
2010243613.tif 000002
【特許請求の範囲】
【請求項１】
外部から印加される電圧に応じて状態が変化する複数の画素と、前記複数の画素の状態に応じて画像を表示する表示面とを有し、前記複数の画素に電圧が印加されない場合においても前記表示面に表示される画像の状態を不揮発的に維持可能な表示デバイスであって、前記表示面に外部からタッチされる位置であるタッチ位置を特定可能な表示デバイスを制御可能な表示制御装置であって、
前記表示デバイスが特定したタッチ位置を示す位置情報を、前記表示デバイスから取得する位置情報取得部と、
前記位置情報取得部が取得した前記位置情報に基づいて、前記表示デバイスが表示する画像の一部に対応する領域である表示更新領域を特定する領域特定部と、
前記領域特定部により特定された前記表示更新領域に対応する画素に電圧を印加する処理を前記表示デバイスに実行させる表示制御であって、前記表示更新領域に対応する、前記表示デバイスが表示する画像の一部の表示更新を行う処理を前記表示デバイスに実行させる表示制御を前記表示デバイスに対し行う表示制御部と
を備える、表示制御装置。
【請求項２】
前記位置情報取得部は、前記表示面がタッチされている間における前記タッチ位置の変化に対応する異なる複数の前記位置情報を、前記表示デバイスから取得し、
前記領域特定部は、取得した前記異なる複数の位置情報の各々が示すタッチ位置を含む領域を、前記表示更新領域として特定する、
請求項１に記載の表示制御装置。
【請求項３】
前記位置情報取得部は、所定時間において、前記表示デバイスから異なる複数の前記位置情報を取得し、
前記領域特定部は、取得した前記異なる複数の位置情報の各々が示すタッチ位置を含む領域を、前記表示更新領域として特定する、
請求項１に記載の表示制御装置。
【請求項４】
外部から印加される電圧に応じて状態が変化する複数の画素と、前記複数の画素の状態に応じて画像を表示する表示面とを有し、前記複数の画素に電圧が印加されない場合においても前記表示面に表示される画像の状態を不揮発的に維持可能な表示デバイスであって、前記表示面に外部からタッチされる位置であるタッチ位置を特定可能な表示デバイスを制御可能な表示制御装置が行なう表示制御方法であって、
前記表示デバイスが特定したタッチ位置を示す位置情報を、前記表示デバイスから取得する位置情報取得ステップと、
前記位置情報取得ステップが取得した前記位置情報に基づいて、前記表示デバイスが表示する画像の一部に対応する領域である表示更新領域を特定する領域特定ステップと、
前記領域特定ステップにより特定された前記表示更新領域に対応する画素に電圧を印加する処理を前記表示デバイスに実行させる表示制御であって、前記表示更新領域に対応する、前記表示デバイスが表示する画像の一部の表示更新を行う処理を前記表示デバイスに実行させる表示制御を前記表示デバイスに対し行う表示制御ステップと
を備える、表示制御方法。
【請求項５】
外部から印加される電圧に応じて状態が変化する複数の画素と、前記複数の画素の状態に応じて画像を表示する表示面とを有し、前記複数の画素に電圧が印加されない場合においても前記表示面に表示される画像の状態を不揮発的に維持可能な表示デバイスであって、前記表示面に外部からタッチされる位置であるタッチ位置を特定可能な表示デバイスを制御可能な表示制御装置が行なう表示制御プログラムであって、
前記表示デバイスが特定したタッチ位置を示す位置情報を、前記表示デバイスから取得する位置情報取得ステップと、
前記位置情報取得ステップが取得した前記位置情報に基づいて、前記表示デバイスが表示する画像の一部に対応する領域である表示更新領域を特定する領域特定ステップと、
前記領域特定ステップにより特定された前記表示更新領域に対応する画素に電圧を印加する処理を前記表示デバイスに実行させる表示制御であって、前記表示更新領域に対応する、前記表示デバイスが表示する画像の一部の表示更新を行う処理を前記表示デバイスに実行させる表示制御を前記表示デバイスに対し行う表示制御ステップと
を前記表示制御装置に実行させるための表示制御プログラム。
【発明の詳細な説明】
【技術分野】
【０００１】
本発明は、電圧が印加されてない場合においても表示している画像の状態を維持可能な表示デバイスを制御するための表示制御装置、表示制御方法および表示制御プログラムに関する。
【背景技術】
【０００２】
近年、省電力を特徴とした電子ペーパーの開発が進められている。電子ペーパーは、広義には紙のような感覚で利用できる、柔らかい素材の極薄の表示装置である。
【０００３】
特許文献１には、携帯情報機器を紙のような感覚で利用するための技術が開示されている。
【０００４】
以下に述べる電子ペーパーは、蛍光灯、太陽光などの光を反射させて画像を表示する反射型表示装置である。電子ペーパーとしての反射型表示装置は、表示している画像を変化させる時にだけ電力を消費するため消費電力が小さいという特徴と、電源を切っても画像の表示状態を維持できるという特徴と、軽いという特徴等を有する。
【０００５】
現在、このような電子ペーパーで使用される技術は複数の方式が存在するが、基本的には表層の表示デバイスに特徴を有している。
【０００６】
例えば、電気泳動方式の電子ペーパーでは、薄いフィルム上にナノメートル単位のマイクロカプセルが敷き詰められた構造の表示デバイスが使用される。各マイクロカプセルは液体で満たされ、各マイクロカプセル内を白および黒の微粒子が浮遊している。
【０００７】
白い微粒子は正に荷電されており、黒い微粒子は負に荷電されている。ここでマイクロカプセルに負の電圧をかけると、白い粒子はマイクロカプセルの上部に移動し、同時に黒い粒子は負の電圧の逆の電圧によってマイクロカプセルの底部に引き付けられる。
【０００８】
この場合、白い粒子に隠れて黒い粒子は見えなくなるため、マイクロカプセルの表面は白く見える。電子ペーパーは、表示デバイスの上部および下部に、それぞれ、透明電極および電極を配置した構成を有する。この表示デバイスでは、電極を格子状に形成し、表示する文字や画像に合わせて、表示領域内の各位置の上部電極及び下部電極に、正または負の電圧が印加されることにより、文字や画像の表示が可能になる。
【０００９】
単純な表示内容であれば、表示領域を電卓で使われている７セグメント方式のように電圧を加える単位（セグメント）で小さい領域に分割し、分割された領域毎に外部から所望の電圧を与えてやれば良い。しかしながら、この場合、表示デバイスは固定したパターンしか表示できない。
【００１０】
変化に富んだ、詳細な画像表示を行うためには、複数の画素を格子状に均等配列し、各画素に電極の配線を施す必要がある。このように、各画素単位で制御する方式をドットマトリクス方式と呼ぶ。格子状に配列された複数の画素の各々に電極の配線をおこなった場合、基板周縁部において、全ての配線を取り出すのは現実的ではない。そのため、各画素単位で制御するための表示デバイスには、ドットマトリクス方式としてのアクティブマトリクス方式および単純マトリクス方式のいずれかが使用される。
【００１１】
アクティブマトリクス方式は、ＴＦＴ（薄膜トランジスタ）などのアクティブ素子を各画素に配置し、各アクティブ素子を駆動させる方式である。単純マトリクス方式は、直交させたストライプ電極を両方の基板に設け、ストライプ電極の交点に位置する液晶を駆動させる方式である。
【００１２】
特に、アクティブマトリクス方式は、液晶パネルの生産技術の発展に伴い、高品質な表示が必要なテレビ受像機、コンピュータのモニタ、携帯電話の表示部等の表示方式として、普及している。
【先行技術文献】
【特許文献】
【００１３】
【特許文献１】特開２０００−１６３１９３号公報
【発明の概要】
【発明が解決しようとする課題】
【００１４】
電子ペーパーとしての反射型表示装置は、表示している画像を更新する場合、一般的に、画像を表示する表示領域全体に電圧をかける制御を行う。そのため、画像の更新時における消費電力の大きさが問題となっている。
【００１５】
本発明は、上述の問題点を解決するためになされたものであって、その目的は、画像の更新において、消費電力を効率的に抑制することを可能とする表示制御装置等を提供することである。
【課題を解決するための手段】
【００１６】
上述の課題を解決するために、この発明のある局面に従う表示制御装置は、外部から印加される電圧に応じて状態が変化する複数の画素と、複数の画素の状態に応じて画像を表示する表示面とを有し、複数の画素に電圧が印加されない場合においても表示面に表示される画像の状態を不揮発的に維持可能な表示デバイスであって、表示面に外部からタッチされる位置であるタッチ位置を特定可能な表示デバイスを制御可能である。表示制御装置は、表示デバイスが特定したタッチ位置を示す位置情報を、表示デバイスから取得する位置情報取得部と、位置情報取得部が取得した位置情報に基づいて、表示デバイスが表示する画像の一部に対応する領域である表示更新領域を特定する領域特定部と、領域特定部により特定された表示更新領域に対応する画素に電圧を印加する処理を表示デバイスに実行させる表示制御であって、表示更新領域に対応する、表示デバイスが表示する画像の一部の表示更新を行う処理を表示デバイスに実行させる表示制御を表示デバイスに対し行う表示制御部とを備える。
【００１７】
すなわち、取得した位置情報に基づいて、表示デバイスが表示する画像の一部に対応する領域である表示更新領域が特定され、特定された表示更新領域に対応する画素に電圧を印加する処理を表示デバイスに実行させる表示制御であって、表示更新領域に対応する、表示デバイスが表示する画像の一部の表示更新を行う処理を表示デバイスに実行させる表示制御が表示デバイスに対し行われる。
【００１８】
したがって、表示される画像に対応する全ての画素ではなく、表示される画像の一部の画素に電圧が印加されるため、画像の更新において、消費電力を効率的に抑制することができる。
【００１９】
好ましくは、位置情報取得部は、表示面がタッチされている間におけるタッチ位置の変化に対応する異なる複数の位置情報を、表示デバイスから取得し、領域特定部は、取得した異なる複数の位置情報の各々が示すタッチ位置を含む領域を、表示更新領域として特定する。
【００２０】
好ましくは、位置情報取得部は、所定時間において、表示デバイスから異なる複数の位置情報を取得し、領域特定部は、取得した異なる複数の位置情報の各々が示すタッチ位置を含む領域を、表示更新領域として特定する。
【発明の効果】
【００２１】
本発明により、画像の更新において、消費電力を効率的に抑制することができる。
【図面の簡単な説明】
【００２２】
【図１】本実施の形態における、表示装置の構成を示す図である。
【図２】表示パネルの詳細な構成を説明するための図である。
【図３】表示パネルの表示面に表示させる、画像の一例を示す図である。
【図４】時間位置情報取得処理のフローチャートである。
【図５】複数の時間位置情報の一例を示す図である。
【図６】一部画像表示更新処理のフローチャートである。
【図７】一部画像表示更新処理Ａのフローチャートである。
【図８】本実施の形態における、表示装置の構成を示す図である。
【図９】一部画像表示更新処理Ｎのフローチャートである。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施の形態＞
図１は、本実施の形態における、表示装置１０００の構成を示す図である。
【００２５】
表示装置１０００は、例えば、マイクロカプセルを使用した電気泳動方式の電子ペーパーである。なお、表示装置１０００は、電気泳動方式の電子ペーパーに限定されることなく、例えば、粉体移動方式などの他の電子ペーパーであっても良い。
【００２６】
電子ペーパーは、表示される画像の見た目が通常の紙に近く、電気的に表示状態を書き換え可能である。また、電子ペーパーは、一度表示された画像の状態を保持する不揮発性を有する。そのため電子ペーパーは、消費電力が非常に少ないという特徴を有している。
【００２７】
表示装置１０００は、画像表示デバイス１００と、表示制御装置２００とを含む。
画像表示デバイス１００は、表示パネル１１０と、水平ドライバ１２０と、垂直ドライバ１３０とを含む。表示パネル１１０の上面は、画像を表示するための表示面である。表示パネル１１０は、行列状（格子状）に配列された複数の画素ＰＸを有する。
【００２８】
複数の画素ＰＸの位置は、座標により示される。表示パネル１１０の表示面に表示される画像のサイズが、例えば、横６４０画素、縦４８０画素である場合、画素ＰＸの座標は、（ｘ（０〜６３９），ｙ（０〜４７９））で表される。
【００２９】
複数の画素ＰＸの各々の上面には透明電極（以下、上面電極という）が設けられる。
また、複数の画素ＰＸの各々の下面には電極（以下、下面電極という）が設けられる。複数の画素ＰＸの各々の上面電極と下面電極との間には、マイクロカプセルが設けられる。マイクロカプセルの内部は、液体で満たされる。マイクロカプセルの内部の液体中には、白および黒の微粒子が浮遊している。
【００３０】
水平ドライバ１２０および垂直ドライバ１３０は、外部（後述する表示制御部２２０）からの制御により、表示パネル１１０内の所望の画素に電圧を印加する。具体的には、水平ドライバ１２０および垂直ドライバ１３０は、電圧印加の対象となる画素（以下、処理対象画素という）の上面電極および下面電極に電圧を印加する。
【００３１】
表示パネル１１０は、処理対象画素における上面電極と下面電極との間の電位差により、画像を表示する。処理対象画素において、上面電極の電位と下面電極の電位との電位差が所定値以上になると、処理対象画素に対応するマイクロカプセル内の黒の粒子が上面電極付近に移動し、処理対象画素は表示面において黒を表示する。
【００３２】
一方、処理対象画素において、下面電極の電位と上面電極の電位と電位差が所定値以上になると、処理対象画素に対応するマイクロカプセル内の白の粒子が上面電極付近に移動し、処理対象画素は表示面において白を表示する。すなわち、処理対象画素は、外部から印加される電圧に応じて状態が変化する。
【００３３】
なお、各画素に電圧が印加されない場合、対応するマイクロカプセル内の黒および白の粒子は移動しない。すなわち、各画素は、電圧が印加されない場合においても、表示状態を維持することが可能である。
【００３４】
したがって、表示パネル１１０の有する複数の画素ＰＸの各々は、電圧が印加されることにより黒または白を表示した後、再度、電圧が印加されるまで、表示している色を維持する。すなわち、表示パネル１１０は、表示面に表示した画像を、不揮発的に維持することが可能なパネルである。
【００３５】
図２は、表示パネル１１０の詳細な構成を説明するための図である。
図２に示されるように、表示パネル１１０の表示面には、タッチセンサー１１１が設けられる。タッチセンサー１１１は、表示パネル１１０が有する複数の画素ＰＸの各々の上面電極を、覆うように設けられる。
【００３６】
タッチセンサー１１１は、指などによりタッチ（接触）された位置を検出する機能を有する。タッチセンサー１１１は、静電容量タイプまたは抵抗膜タイプのタッチセンサーである。
【００３７】
タッチセンサー１１１は、信号線ＳＬ１０により、表示制御装置２００と電気的に接続される。タッチセンサー１１１は、所定時間（例えば、１００ミリ秒）経過毎に、位置情報ＰＤを、信号線ＳＬ１０を介して、表示制御装置２００へ送信する。
【００３８】
位置情報ＰＤは、タッチセンサー１１１が指などによりタッチ（接触）された場合、表示パネル１１０の表示面においてタッチされた位置の座標（例えば、（ｘ，ｙ））を示す。なお、位置情報ＰＤは、タッチセンサー１１１がタッチされてない場合は、座標を示さない。
【００３９】
再び、図１を参照して、表示制御装置２００は、位置情報処理部２１０と、表示制御部２２０と、一時記憶メモリ２３０と、制御部２５０と、メモリ２６０とを含む。
【００４０】
位置情報処理部２１０は、信号線ＳＬ１０により、タッチセンサー１１１と電気的に接続される。位置情報処理部２１０は、所定時間（例えば、１００ミリ秒）経過毎に、タッチセンサー１１１から位置情報ＰＤを受信する。
【００４１】
位置情報処理部２１０は、常に、経過時間を測定しており、位置情報ＰＤを受信する毎に、位置情報ＰＤを受信した時間（絶対時間）と、受信した位置情報ＰＤが示す情報（座標）とを対応づけた情報である時間位置情報ＴＰＤを、制御部２５０へ送信する。
【００４２】
メモリ２６０は、不揮発性のメモリである。メモリ２６０は、例えば、ハードディスクドライブである。なお、メモリ２６０は、ハードディスクドライブに限定されることなく、不揮発的のメモリであれば、その他のメモリ（たとえば、フラッシュメモリ）であってもよい。メモリ２６０には、プログラム２６２が記憶されている。
【００４３】
制御部２５０は、表示制御装置２００内の各部を制御する機能を有する。制御部２５０は、ＣＰＵ（Central Processing Unit）である。制御部２５０は、メモリ２６０に対しデータアクセスする。
【００４４】
制御部２５０は、メモリ２６０に記憶されているプログラム２６２を実行し、プログラム２６２に基づいて、表示制御装置２００内の各部に対する各種処理や、演算処理等を行なう。
【００４５】
制御部２５０は、受信した時間位置情報ＴＰＤに基づいて、後述する表示制御部２２０を制御する処理等を行う。
【００４６】
一時記憶メモリ２３０は、画像表示デバイス１００の表示パネル１１０に表示させるための画像を一時的に記憶するメモリである。
【００４７】
表示制御部２２０は、制御部２５０からの指示に基づいて、水平ドライバ１２０および垂直ドライバ１３０を制御することにより、表示パネル１１０に画像を表示させる。表示制御部２２０は、一時記憶メモリ２３０に対しデータアクセスする。
【００４８】
次に、表示パネル１１０の表示面全体に、画像を表示させるための通常の処理（以下、全面表示処理という）について説明する。表示パネル１１０の表示面全体に表示させるための画像は、以下の画像Ｇ１００であるとする。
【００４９】
図３は、表示パネル１１０の表示面に表示させる、画像の一例を示す図である。
図３（Ａ）は、一例としての、画像Ｇ１００を示す図である。
【００５０】
再び、図１を参照して、全面表示処理では、まず、制御部２５０が、画像Ｇ１００を生成する。そして、制御部２５０は、生成した画像Ｇ１００のデータと、画像全面表示命令とを、表示制御部２２０へ送信する。ここで、画像全面表示命令は、例えば、画像Ｇ１００を、表示パネル１１０の表示面全体に表示させるための命令である。
【００５１】
表示制御部２２０は、画像Ｇ１００のデータおよび画像全面表示命令を受信すると、受信した画像Ｇ１００のデータを、一時記憶メモリ２３０に記憶させる。
【００５２】
表示制御部２２０は、画像Ｇ１００のデータを、一時記憶メモリ２３０に記憶させた後、画像全面表示命令に基づく所定のタイミングにおいて、水平ドライバ１２０および垂直ドライバ１３０へ画像全面表示命令に基づく表示制御信号を送信する。ここで、送信される表示制御信号は、画像Ｇ１００を、表示パネル１１０の表示面全体に表示させるための信号である。
【００５３】
水平ドライバ１２０および垂直ドライバ１３０の各々は、受信した表示制御信号に基づいて、表示パネル１１０の各画素の印加電圧を制御することにより、表示パネル１１０の表示面全体に画像Ｇ１００を表示させる。
【００５４】
次に、表示パネル１１０の表示面に設けられるタッチセンサー１１１がタッチされた場合において、表示パネル１１０の表示面に表示される画像の一部のみの表示更新を行うための処理（以下、一部画像表示更新処理という）について説明する。
【００５５】
制御部２５０は、所定時間（例えば、１００ミリ秒）経過毎に、位置情報処理部２１０から、時間位置情報ＴＰＤを受信するとする。以下においては、制御部２５０が、所定時間経過毎に、位置情報処理部２１０から、時間位置情報ＴＰＤを受信する処理を、時間位置情報取得処理という。制御部２５０は、他の処理とは独立して、時間位置情報取得処理を行う。
【００５６】
図４は、時間位置情報取得処理のフローチャートである。
ステップＳ１０では、制御部２５０が、位置情報処理部２１０から時間位置情報ＴＰＤを受信することにより、時間位置情報ＴＰＤを取得する。
【００５７】
そして、所定時間経過毎に、ステップＳ１０の処理が繰り返される。
ここで、制御部２５０は、位置情報処理部２１０から、以下の図５に示す複数の時間位置情報ＴＰＤを順次受信したとする。
【００５８】
図５は、複数の時間位置情報ＴＰＤの一例を示す図である。
図５において、「番号」とは、時間位置情報ＴＰＤを特定するための番号である。番号“１”の時間位置情報ＴＰＤは、制御部２５０が位置情報処理部２１０から最初に受信した時間位置情報ＴＰＤである。制御部２５０は、値の小さい番号の順に、対応する時間位置情報ＴＰＤを受信したとする。
【００５９】
図５において、「時間」とは、位置情報処理部２１０が位置情報ＰＤを受信した時間（絶対時間）である。「座標（ｘ，ｙ）」とは、位置情報処理部２１０がタッチセンサー１１１から受信した位置情報ＰＤが示す座標である。「座標（ｘ，ｙ）」の項目において、座標が示されてない場合、対応する時間において、タッチセンサー１１１がユーザによりタッチされてないことを示す。
【００６０】
電子ペーパーのように紙に近い性質を有する表示装置は、紙に近いユーザインタフェースを備える事が求められる。特に紙をめくるような操作性は重要であり、タッチセンサー１１１を使用することにより、紙をめくるような操作性は実現可能である。
【００６１】
図３（Ｂ）に示すように、タッチセンサー１１１の表面を、ユーザが、あたかも紙をめくるように指でなぞったとする。すなわち、例えば、位置Ｐ２１から位置Ｐ２２に向かって、ユーザがタッチセンサー１１１の表面を指でなぞったとする。
【００６２】
図５は、位置Ｐ２１から位置Ｐ２２に向かって、ユーザがタッチセンサー１１１の表面を指でなぞった場合における、複数の時間位置情報ＴＰＤを示す。位置Ｐ２１および位置Ｐ２２は、それぞれ、座標（０，４８０）および座標（１４０，２８０）に対応する位置である。
【００６３】
すなわち、図５は、図３（Ｂ）の位置Ｐ２１から位置Ｐ２２に向かって、ユーザが、タッチセンサー１１１の表面におけるタッチ（接触）位置を移動させた場合における、複数の時間位置情報ＴＰＤを示す。また、図５は、２００〜７００ミリ秒の期間、タッチセンサー１１１がユーザによりタッチされていたことを示す。
【００６４】
図６は、一部画像表示更新処理のフローチャートである。一部画像表示更新処理が行われる前において、表示パネル１１０の表示面には、図３（Ａ）の画像Ｇ１００が表示されているとする。
【００６５】
ステップＳ１１１では、表示パネル１１０の表示面に設けられるタッチセンサー１１１がユーザによりタッチされたか否かが判定される。具体的には、制御部２５０が、順次受信する複数の時間位置情報ＴＰＤのうち、受信した最新の時間位置情報ＴＰＤが座標を示すか否かを判定する。
【００６６】
受信した時間位置情報ＴＰＤが、例えば、図５の番号“１”の時間位置情報ＴＰＤである場合、受信した時間位置情報ＴＰＤは座標を示さないと判定される。この場合、制御部２５０は、タッチセンサー１１１がタッチされていないと判定する。また、受信した時間位置情報ＴＰＤが、例えば、図５の番号“３”の時間位置情報ＴＰＤである場合、受信した時間位置情報ＴＰＤは、座標を示すと判定される。この場合、制御部２５０は、タッチセンサー１１１がタッチされたと判定する。
【００６７】
以下においては、ステップＳ１１１の処理により、最初に、座標を示すと判定された時間位置情報ＴＰＤを、タッチ開始時間位置情報という。
【００６８】
ステップＳ１１１において、ＹＥＳならば、処理はステップＳ１１２に移行する。ステップＳ１１１において、ＮＯならば、再度、ステップＳ１１１の処理が行われる。
【００６９】
ステップＳ１１２では、タッチセンサー１１１がタッチされた状態が終了したか否かが判定される。具体的には、制御部２５０が、順次受信する複数の時間位置情報ＴＰＤのうち、最新の時間位置情報ＴＰＤが、座標を示さないか否かを判定する。最新の時間位置情報ＴＰＤが、例えば、図５の番号“８”の時間位置情報ＴＰＤである場合、最新の時間位置情報ＴＰＤは、座標を示さないと判定される。この場合、制御部２５０は、タッチセンサー１１１がタッチされた状態が終了したと判定する。
【００７０】
以下においては、ステップＳ１１２の処理により、座標を示さないと判定された時間位置情報ＴＰＤを、タッチ終了時間位置情報という。
【００７１】
ステップＳ１１２において、ＹＥＳならば、処理はステップＳ１１３に移行する。一方、ステップＳ１１２において、ＮＯならば、再度、ステップＳ１１２の処理が行われる。
【００７２】
ステップＳ１１３では、表示更新領域を特定するための表示更新領域特定処理が行われる。表示更新領域は、表示パネル１１０の表示面に表示される画像において、表示更新の対象となる一部の画像を構成する１以上の画素に対応する領域である。
【００７３】
表示更新領域特定処理では、制御部２５０が、タッチ開始時間位置情報およびタッチ終了時間位置情報に基づいて、表示更新領域を特定する。具体的には、制御部２５０が、タッチ開始時間位置情報が示す座標の位置と、タッチ終了時間位置情報が示す座標の位置とを含む矩形領域を特定する。
【００７４】
ここで、タッチ開始時間位置情報が示す座標の位置およびタッチ終了時間位置情報が示す座標の位置が、それぞれ、図３（Ｂ）の位置Ｐ２１および位置Ｐ２２であるとする。この場合、表示更新領域特定処理により特定される表示更新領域は、図３（Ｂ）の領域Ｒ３１である。
【００７５】
ステップＳ１１４では、更新画像生成処理が行われる。更新画像生成処理では、制御部２５０が、特定した表示更新領域内の画像である一部更新画像を生成する。生成される一部更新画像は、例えば、図３（Ｂ）の領域Ｒ３１内の画像のように、紙がめくられている途中の状態を示す画像である。
【００７６】
ステップＳ１１５では、更新画像送信処理が行われる。更新画像送信処理では、制御部２５０が、生成した一部更新画像のデータと、画像一部更新命令とを、表示制御部２２０へ送信する。画像一部更新命令は、生成した一部更新画像を表示するための表示更新領域内に、当該一部更新画像を表示する処理を水平ドライバ１２０および垂直ドライバ１３０に実行させる命令である。
【００７７】
ステップＳ１１６では、一部画像更新処理が行われる。一部画像更新処理では、表示制御部２２０が、一部更新画像のデータおよび画像一部更新命令を受信すると、受信した一部更新画像のデータを、一時記憶メモリ２３０に記憶させる。
【００７８】
表示制御部２２０は、一部更新画像のデータを、一時記憶メモリ２３０に記憶させた後、水平ドライバ１２０および垂直ドライバ１３０へ、画像一部更新命令に基づいた一部表示更新制御信号を送信する。ここで、送信される一部表示更新制御信号は、一部更新画像を、表示パネル１１０が表示する画像内の表示更新領域に表示する処理を水平ドライバ１２０および垂直ドライバ１３０に実行させる信号である。そして、この一部画像更新処理は終了し、再度、ステップＳ１１１の処理が行われる。
【００７９】
水平ドライバ１２０および垂直ドライバ１３０の各々は、受信した一部表示更新制御信号に基づいて、表示パネル１１０の各画素の印加電圧を制御することにより、表示パネル１１０が表示する画像内の表示更新領域に一部更新画像を表示させる。すなわち、水平ドライバ１２０および垂直ドライバ１３０の各々は、受信した一部表示更新制御信号に基づいて、表示更新領域に対応する、表示パネル１１０が表示する画像の一部の表示更新を行う。
【００８０】
つまり、水平ドライバ１２０および垂直ドライバ１３０の各々は、一部表示更新制御信号に基づいて、表示更新領域に対応する、表示パネル１１０が表示する画像の一部に対応する各画素に対してのみ電圧を印加する。したがって、表示パネル１１０が表示する画像のうち、表示更新領域に対応しない部分の画像に対応する各画素には、電圧は印加されない。
【００８１】
すなわち、表示制御部２２０は、画像一部更新命令に基づいた一部表示更新制御信号を、水平ドライバ１２０および垂直ドライバ１３０へ送信する。一部表示更新制御信号は、一部更新画像を、表示パネル１１０が表示する画像内の表示更新領域に表示する処理を水平ドライバ１２０および垂直ドライバ１３０に実行させる信号である。つまり、制御部２５０が表示制御部２２０へ送信する画像一部更新命令は、一部更新画像を、表示パネル１１０が表示する画像内の表示更新領域に表示する処理を水平ドライバ１２０および垂直ドライバ１３０に実行させる表示制御を、水平ドライバ１２０および垂直ドライバ１３０に対し行うための命令である。
【００８２】
つまり、制御部２５０は、画像一部更新命令を、表示制御部２２０へ送信することにより、表示パネル１１０が表示する画像内の表示更新領域に一部更新画像を表示する処理を水平ドライバ１２０および垂直ドライバ１３０に実行させる表示制御を、水平ドライバ１２０および垂直ドライバ１３０に対し行う。
【００８３】
ここで、一部画像更新処理が行われる前に、表示パネル１１０は、図３（Ａ）の画像Ｇ１００を表示していたとする。また、一部更新画像は、図３（Ｂ）の領域Ｒ３１内の画像であるとする。
【００８４】
この場合、一部画像更新処理が行われることにより、表示パネル１１０の表示面には、図３（Ｂ）の画像Ｇ１００Ａが表示される。画像Ｇ１００Ａは、図３（Ａ）の画像Ｇ１００において、領域Ｒ３１内の画像のみを変更した画像である。
【００８５】
以上説明したように、本実施の形態では、表示パネル１１０に表示される画像のうち、ユーザによりタッチされた複数の位置を含む領域に対応する一部の画像のみを表示更新する。すなわち、タッチされた位置に対応する、表示更新の対象となる領域に対応しない各画素に対しては、電圧を印加しない。これにより、タッチセンサー１１１がタッチされた位置に連動した画像の更新において、消費電力を効率的に抑制することができる。
【００８６】
なお、本実施の形態においては、タッチ開始時間位置情報が示す座標の位置と、タッチ終了時間位置情報が示す座標の位置とに基づいて、表示更新領域を特定していた。
【００８７】
しかしながら、これに限定されることなく、タッチ開始時間位置情報が示す座標の位置を考慮せず、タッチ終了時間位置情報が示す座標の位置のみを考慮してもよい。この場合、例えば、タッチ終了時間位置情報が示す座標の位置と、表示パネル１１０に表示される画像の左下端の位置とを含む領域を、表示更新領域として特定してもよい。
【００８８】
＜第１の実施の形態の変形例＞
本実施の形態の変形例における表示装置は、図１の表示装置１０００である。そのため、表示装置１０００に含まれる各部の詳細な説明は繰り返さない。
【００８９】
本実施の形態の変形例では、表示パネル１１０の表示面に表示される画像の一部のみの表示更新を行うための処理（以下、一部画像表示更新処理Ａという）が、第１の実施の形態と異なる。
【００９０】
制御部２５０は、所定時間（例えば、１００ミリ秒）経過毎に、位置情報処理部２１０から、時間位置情報ＴＰＤを受信するとする。ここで、制御部２５０は、位置情報処理部２１０から、図５に示す複数の時間位置情報ＴＰＤを順次受信したとする。
【００９１】
図７は、一部画像表示更新処理Ａのフローチャートである。図７において、図６のステップ番号と同じステップ番号の処理は、第１の実施の形態で説明した処理と同様な処理が行なわれるので詳細な説明は繰り返さない。
【００９２】
ステップＳ１１１では、第１の実施の形態で説明したのと同様な処理が行われるので詳細な説明は繰り返さない。この処理により、最初に、座標を示すと判定された時間位置情報ＴＰＤは、タッチ開始時間位置情報である。
【００９３】
ステップＳ１１２Ａでは、制御部２５０が、タッチ開始時間位置情報を受信してから、判定対象所定時間（例えば、５００ミリ秒）経過するまでの期間に、タッチセンサー１１１が、再度、ユーザによりタッチされたか否かが判定される。
【００９４】
具体的には、制御部２５０が、タッチ開始時間位置情報を受信してから、判定対象所定時間経過するまでの期間において、順次受信する複数の時間位置情報ＴＰＤのうち、座標を示す時間位置情報ＴＰＤを受信したか否かを判定する。
【００９５】
ステップＳ１１２Ａにおいて、ＹＥＳならば、処理はステップＳ１１３に移行する。以下においては、ステップＳ１１２Ａにおいて、ＹＥＳと判定された場合において、制御部２５０が受信した、座標を示す最新の時間位置情報ＴＰＤを、タッチ終了時間位置情報という。
【００９６】
一方、ステップＳ１１２Ａにおいて、ＮＯならば、再度、ステップＳ１１１の処理が行われる。
【００９７】
ここで、タッチ開始時間位置情報は、図５の番号“２”の時間位置情報ＴＰＤであるとする。また、タッチ終了時間位置情報は、図５の番号“７”の時間位置情報ＴＰＤであるとする。
【００９８】
そして、第１の実施の形態と同様に、ステップＳ１１３，Ｓ１１４，Ｓ１１５，Ｓ１１６の処理が行われる。これらの処理により、第１の実施の形態と同様、ユーザによりタッチされた複数の位置を含む領域に対応する一部の画像のみが表示更新される。
【００９９】
第１の実施の形態では、タッチセンサー１１１がタッチされてから、タッチセンサー１１１がタッチされた状態が終了するまでを判定していた。
【０１００】
一方、本実施の形態の変形例では、タッチセンサー１１１がタッチされてから、判定対象所定時間経過する間に、タッチセンサー１１１が、再度、ユーザによりタッチされたか否かを判定する。
【０１０１】
そのため、例えば、ユーザにより図３（Ｂ）の位置Ｐ２１がタッチされてから、判定対象所定時間経過する間に、ユーザにより位置Ｐ２２がタッチされた場合、ステップＳ１１３の処理により、特定される表示更新領域は、領域Ｒ３１である。
【０１０２】
すなわち、本実施の形態の変形例では、判定対象所定時間において、タッチセンサー１１１がタッチされる少なくとも２つの位置から、表示更新領域を特定することができる。
【０１０３】
また、表示更新の処理は、第１の実施の形態と同様であるので、本実施の形態の変形例においても、第１の実施の形態と同様な効果を得ることができる。
【０１０４】
すなわち、表示更新の対象となる領域に対応しない各画素に対しては、電圧を印加しない。これにより、タッチセンサー１１１がタッチされた位置に連動した画像の更新において、消費電力を効率的に抑制することができる。
【０１０５】
＜第２の実施の形態＞
本実施の形態では、第１の実施の形態と異なる構成の表示装置において、表示パネル１１０の表示面に表示される画像の一部のみの表示更新を行うための処理を行う場合の処理について説明する。
【０１０６】
図８は、本実施の形態における、表示装置１０００Ａの構成を示す図である。
図８に示される表示装置１０００Ａは、図１の表示装置１０００と比較して、表示制御装置２００のかわりに表示制御装置２００Ａを含む点が異なる。それ以外の構成は、表示装置１０００と同様なので詳細な説明は繰り返さない。
【０１０７】
表示制御装置２００Ａは、図１の表示制御装置２００と比較して、位置情報処理部２１０が、表示パネル１１０から位置情報ＰＤを受信する毎に、時間位置情報ＴＰＤを、制御部２５０の代わりに表示制御部２２０へ送信する点が異なる。それ以外は、表示制御装置２００と同様なので詳細な説明は繰り返さない。
【０１０８】
本実施の形態では、位置情報処理部２１０は、常に、経過時間を測定しており、タッチセンサー１１１から位置情報ＰＤを受信する毎に、位置情報ＰＤを受信した時間（絶対時間）と、受信した位置情報ＰＤが座標とを対応づけた情報である時間位置情報ＴＰＤを、表示制御部２２０へ送信する。
【０１０９】
次に、表示パネル１１０の表示面に設けられるタッチセンサー１１１がタッチされた場合において、表示パネル１１０の表示面に表示される画像の一部のみの表示更新を行うための処理（以下、一部画像表示更新処理Ｎという）について説明する。
【０１１０】
表示制御部２２０は、所定時間（例えば、１００ミリ秒）経過毎に、位置情報処理部２１０から、時間位置情報ＴＰＤを受信するとする。ここで、表示制御部２２０は、位置情報処理部２１０から、図５に示す複数の時間位置情報ＴＰＤを順次受信したとする。
【０１１１】
図９は、一部画像表示更新処理Ｎのフローチャートである。
ステップＳ１１１Ｎでは、表示パネル１１０の表示面に設けられるタッチセンサー１１１がユーザによりタッチされたか否かが判定される。ステップＳ１１１Ｎの処理は、図６のステップＳ１１１の処理と比較して、制御部２５０が行う処理を表示制御部２２０が行う点が異なる。それ以外は、ステップＳ１１１の処理と同じであるので詳細な説明は繰り返さない。
【０１１２】
ステップＳ１１１Ｎにおいて、ＹＥＳならば、処理はステップＳ１１２Ｎに移行する。ステップＳ１１１Ｎにおいて、ＮＯならば、再度、ステップＳ１１１Ｎの処理が行われる。
【０１１３】
ステップＳ１１２Ｎでは、タッチセンサー１１１がタッチされた状態が終了したか否かが判定される。ステップＳ１１２Ｎの処理は、図６のステップＳ１１２の処理と比較して、制御部２５０が行う処理を表示制御部２２０が行う点が異なる。それ以外は、ステップＳ１１２の処理と同じであるので詳細な説明は繰り返さない。
【０１１４】
ステップＳ１１３Ｎでは、表示更新領域特定処理Ｎが行われる。表示更新領域特定処理Ｎは、図６のステップＳ１１３の処理と比較して、制御部２５０が行う処理を表示制御部２２０が行う点が異なる。それ以外は、ステップＳ１１３の処理と同じであるので詳細な説明は繰り返さない。
【０１１５】
ステップＳ１１４Ｎでは、更新画像生成処理Ｎが行われる。更新画像生成処理Ｎは、図６のステップＳ１１４の処理と比較して、制御部２５０が行う処理を表示制御部２２０が行う点が異なる。それ以外は、ステップＳ１１４の処理と同じであるので詳細な説明は繰り返さない。
【０１１６】
ステップＳ１１６Ｎでは、一部画像更新処理Ｎが行われる。一部画像更新処理Ｎでは、表示制御部２２０が、水平ドライバ１２０および垂直ドライバ１３０へ一部表示更新制御信号を送信する。ここで、送信される一部表示更新制御信号は、一部更新画像を、表示パネル１１０が表示する画像内の表示更新領域に表示する処理を水平ドライバ１２０および垂直ドライバ１３０に実行させる信号である。そして、この一部画像更新処理Ｎは終了し、再度、ステップＳ１１１Ｎの処理が行われる。
【０１１７】
そして、第１の実施の形態と同様な処理を、水平ドライバ１２０および垂直ドライバ１３０が行うことにより、第１の実施の形態と同様、ユーザによりタッチされた複数の位置を含む領域に対応する一部の画像のみが表示更新される。
【０１１８】
以上説明したように、本実施の形態では、時間位置情報ＴＰＤが、制御部２５０を介することなく、直接、表示制御部２２０に送信される場合においても、第１の実施の形態と同様に、ユーザによりタッチされた複数の位置を含む領域に対応する一部の画像のみが表示更新することができる。
【０１１９】
したがって、第１の実施の形態の奏する効果に加えて、時間位置情報ＴＰＤが、制御部２５０を介することなく、直接、表示制御部２２０に送信されるので、画像の一部の表示更新の処理を、第１の実施の形態よりも、高速に行うことができる。
【０１２０】
なお、本実施の形態のように、時間位置情報ＴＰＤが、制御部２５０を介することなく、直接、表示制御部２２０に送信される場合においても、第１の実施の形態の変形例で説明した、表示面に表示される画像の一部のみの表示更新を行うための処理を行うことが可能である。
【０１２１】
この場合の処理は、図７の一部画像表示更新処理Ａにおいて、ステップＳ１１１，Ｓ１１２Ａ，Ｓ１１３，Ｓ１１４，１１６の処理において、制御部２５０が行う処理を、表示制御部２２０が行う処理となる。
【０１２２】
なお、本発明では、紙をめくるような画像の表示例について述べた。しかしながら、本発明は、画像更新を促すための簡易ボタン（アイコン）など、指の接触と画像の一部の更新に伴う表示制御全般に適用可能である。
【０１２３】
また、本発明で示した、表示装置１０００，１０００Ａはあくまで一例である。つまり、本発明を適用した表示装置は、データバスの接続形態によっては一時記憶メモリ２３０等を、制御部２５０および表示制御部２２０で共有するように構成された表示装置であってもよい。更には、位置情報処理部２１０、表示制御部２２０および制御部２５０の一部または全ては、物理的に１つの半導体で構成されてもよい。
【０１２４】
上記において説明した本発明の表示装置では、表示中の画像内の特定領域にのみ電圧をかけて駆動させることが可能である。また、本発明の表示装置は、電子ペーパーなどの表示が維持できる不揮発性を有した表示パネルの特定領域のみを駆動させる。すなわち、本発明の表示装置は、書き換えの不必要な領域には電圧をかけることなく消費電力を抑制することができる。
【０１２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２６】
本発明は、電子ペーパーに対し、紙に近い操作性を実現する際に効果を発揮するものである。
【符号の説明】
【０１２７】
１００  画像表示デバイス
１１０  表示パネル
１１１  タッチセンサー
２００  表示制御装置
２１０  位置情報処理部
２２０  表示制御部
２３０  一時記憶メモリ
２５０  制御部
２６０  メモリ
１０００，１０００Ａ  表示装置
【図１】
2010243613.tif 000003
【図２】
2010243613.tif 000004
【図３】
2010243613.tif 000005
【図４】
2010243613.tif 000006
【図５】
2010243613.tif 000007
【図６】
2010243613.tif 000008
【図７】
2010243613.tif 000009
【図８】
2010243613.tif 000010
【図９】
2010243613.tif 000011